(57)【要約】【課題】  肩に掛けた状態で容易に開閉できるショルダーバッグを提供する。【解決手段】  上部開口が蓋部３０により開閉可能なバッグ本体１０と、バッグ本体１０に取り付けられた肩ベルト２０とを備え、使用者が肩ベルト２０を肩に掛けて携帯することができるショルダーバッグ１であって、バッグ本体１０は、肩掛け時に使用者に接する背面部１１に係止部１７を備え、蓋部３０の先端側に設けられた係合部３２を係止部１７に係止させることにより、上部開口が閉じられるように構成され、肩ベルト２０は、両端部２１，２２が背面部１１に取り付けられている。【選択図】  図１
2019122752.tif 000002
【特許請求の範囲】
【請求項１】
上部が蓋部により開閉可能なバッグ本体と、前記バッグ本体に取り付けられた肩ベルトとを備え、使用者が前記肩ベルトを肩に掛けて携帯することができるショルダーバッグであって、
前記バッグ本体は、肩掛け時に使用者に接する背面部に係止部を備え、前記蓋部の先端側に設けられた係合部を前記係止部に係止させることにより、上部が閉じられるように構成され、
前記肩ベルトは、両端部が前記背面部に取り付けられているショルダーバッグ。
【請求項２】
前記肩ベルトは、前記背面部における前記蓋部の係止位置よりも下方に取り付けられている請求項１に記載のショルダーバッグ。
【請求項３】
前記バッグ本体は、少なくとも前記背面部が補強板により補強されている請求項１または２に記載のショルダーバッグ。
【請求項４】
前記正面部は、左右両側に設けられた一対のスライドファスナーを備えており、一対の前記スライドファスナーの間が前記蓋部を構成する請求項１から３のいずれかに記載のショルダーバッグ。
【請求項５】
前記係合部は、リング状の把持部を備えており、前記把持部を上方に引き上げることにより、前記係止部との係合が解除される請求項１から４のいずれかに記載のショルダーバッグ。
【発明の詳細な説明】
【技術分野】
【０００１】
本発明は、ショルダーバッグに関する。
【背景技術】
【０００２】
従来のショルダーバッグとして、例えば特許文献１に開示されているように、上部開口がスライドファスナー等により開閉可能とされたバッグ本体の両側面に、肩掛け用ベルトの両端部をそれぞれ取り付けた構成が知られている。
【０００３】
上記従来のショルダーバッグは、ベルトを肩に掛けた状態でバッグ本体の上部開口を開閉する際に、一方の手でバッグ本体を押さえながら、他方の手でスライドファスナー等を操作する必要があるため、片手が不自由な人が使用する場合や、片手が傘などで塞がっている場合には、バッグ本体を開閉し難いという問題があった。
【先行技術文献】
【特許文献】
【０００４】
【特許文献１】特開平１１−１６４７２０号公報
【発明の概要】
【発明が解決しようとする課題】
【０００５】
そこで、本発明は、肩に掛けた状態で容易に開閉可能なショルダーバッグの提供を目的とする。
【課題を解決するための手段】
【０００６】
本発明の前記目的は、上部が蓋部により開閉可能なバッグ本体と、前記バッグ本体に取り付けられた肩ベルトとを備え、使用者が前記肩ベルトを肩に掛けて携帯することができるショルダーバッグであって、前記バッグ本体は、肩掛け時に使用者に接する背面部に係止部を備え、前記蓋部の先端側に設けられた係合部を前記係止部に係止させることにより、上部が閉じられるように構成され、前記肩ベルトは、両端部が前記背面部に取り付けられているショルダーバッグにより達成される。
【０００７】
このショルダーバッグにおいて、前記肩ベルトは、前記背面部における前記蓋部の係止位置よりも下方に取り付けられていることが好ましい。
【０００８】
前記バッグ本体は、少なくとも前記背面部が補強板により補強されていることが好ましい。
【０００９】
前記正面部は、左右両側に設けられた一対のスライドファスナーを備えることが好ましく、一対の前記スライドファスナーの間が前記蓋部を構成する。
【００１０】
前記係合部は、リング状の把持部を備えることが好ましく、前記把持部を上方に引き上げることにより、前記係止部との係合が解除されるように構成することができる。
【発明の効果】
【００１１】
本発明によれば、肩に掛けた状態で容易に開閉可能なショルダーバッグを提供することができる。
【図面の簡単な説明】
【００１２】
【図１】本発明の一実施形態に係るショルダーバックを背面側から見た斜視図である。
【図２】図１に示すショルダーバックを正面側から見た斜視図である。
【図３】図１に示すショルダーバックの断面図である。
【図４】図１に示すショルダーバックを一部切り欠いて示す斜視図である。
【図５】図１に示すショルダーバックを使用者が肩に掛けた状態を示す斜視図である。
【図６】図１に示すショルダーバックの使用方法を説明するための斜視図である。
【図７】図１に示すショルダーバックの要部の変形例を示す斜視図である。
【図８】本発明の他の実施形態に係るショルダーバックを背面側から見た斜視図である。
【図９】図８に示すショルダーバックの要部拡大図である。
【図１０】本発明の更に他の実施形態に係るショルダーバックの要部斜視図である。
【図１１】本発明の更に他の実施形態に係るショルダーバックの要部斜視図である。
【図１２】本発明の更に他の実施形態に係るショルダーバックの要部斜視図である。
【発明を実施するための形態】
【００１３】
以下、本発明の実施の形態について、添付図面を参照して説明する。図１および図２は、本発明の一実施形態に係るショルダーバッグの斜視図であり、図１は背面側から見た図、図２は正面側から見た図である。図１および図２に示すように、ショルダーバッグ１は、バッグ本体１０と、バッグ本体１０に取り付けられた肩ベルト２０とを備えている。
【００１４】
バッグ本体１０は、背面部１１および正面部１６が、左右の側面部１２，１３、底部１４および天部１５を介して連接されている。バッグ本体１０の材質は、特に限定されるものではなく、例えば従来のショルダーバッグと同様に、天然皮革や合成皮革、レザー、布、樹脂シート等により形成することができる。
【００１５】
肩ベルト２０は、両端部に取付部２１，２２を備えており、取付部２１，２２が、背面部１１における左右両側にそれぞれ取り付けられている。バッグ本体１０に対する肩ベルト２０の取り付けは、縫着等により着脱不能であってもよく、あるいは、フック金具等を用いて着脱可能であってもよい。背面部１１の中央上部には、係止部１７が設けられている。
【００１６】
正面部１６は、左右両側に平行に配置された一対のスライドファスナー３４，３５を備えている。一対のスライドファスナー３４，３５は、正面部１６の上端から中央付近まで延びており、これらスライドファスナー３４，３５の間が、バッグ本体１０の上部を開閉可能に覆う蓋部３０を構成している。本実施形態においては、スライドファスナー３４，３５を閉じたときに、天部１５の左右両側が露出するように構成しているが、天部１５の全体を覆うように構成することで防水性を高めることができる。
【００１７】
蓋部３０の先端側には、結合用ベルト３１を介して係合部３２が設けられており、係合部３２を係止部１７に着脱させることができる。係合部３２および係止部１７は、例えば公知のバックルを使用することができ、本実施形態においては、係合部３２を係止部１７に上方から差し込んで係合部３２と係止部１７とを係合させた状態から、係合部３２に設けられた把持部３３を上方に引き上げることにより、係合部３２に係止部１７から離れる方向の力が作用して係合部３２が弾性変形し、係合部３２と係止部１７との係合が解除される公知の構成を採用している。蓋部３０の内面側には、スマートフォン等の小物品を収容可能なポケットを設けてもよい。把持部３３は、使用者が把持可能であればよく、例えば紐状であってもよいが、本実施形態のようにリング状に形成することで、使用者が指に掛けて容易に操作することができる。
【００１８】
図３は、バッグ本体１０の断面図である。図３に示すように、背面部１１、底部１４および天部１５は、内部にそれぞれ収容部を備えており、これらの収容部に、硬質樹脂や金属等からなる補強板４０が収納されている。補強板４０は、左右の側面部１２，１３（図１等参照）に形成された収容部にも収納されている。
【００１９】
図４は、バッグ本体１０の斜視図であり、内部が見えるように、正面部１６を除去した状態で示している。図４（ａ）および（ｂ）に示すように、補強板４０は、側面部１３および底部１４の内面側に形成された開口部１３ａ，１４ａから矢示方向に挿入することにより収納することができる。背面部１１、側面部１２および天部１５に対する補強板４０の収納も、上記と同様に行うことができる。
【００２０】
上記の構成を備えるショルダーバッグ１は、図５に示すように、背面部１１が使用者Ｕに接するように、肩ベルト２０を肩にたすき掛けすると、肩ベルト２０の両端部がバッグ本体１０の背面部１１に取り付けられているために、背面部１１は、下側が使用者Ｕに接触する一方、上側が使用者Ｕから離れるように傾斜する。したがって、ショルダーバッグ１を肩に掛けたまま、把持部３３を把持して上方に引き上げることにより、片方の手のみで係合部３２と係止部１７との係合を容易に解除することができると共に、引き上げた把持部３３をそのまま外方に引くことにより蓋部３０を開くことができるので、一連の動作をスムーズに行うことができる。蓋部３０を閉じるときは、係合部３２を係止部１７に上方から差し込むだけでよいので、この操作も片手で容易に行うことができる。
【００２１】
係合部３２と係止部１７との係合解除をより容易に行うため、背面部１１に対する肩ベルト２０の両端部の取付位置は、蓋部３０の係止位置（すなわち、係合部３２と係止部１７との係合位置）よりも下方であることが好ましく、これによって、使用者Ｕと係合部３２との間に大きな空間を確保して、把持部３３を容易に操作することができる。より詳しくは、蓋部３０の係止位置から背面部１１の上端までの長さＬ１は、肩ベルト２０の取付部２１，２２の上端から背面部１１の上端までの長さＬ２よりも、小さいことが好ましい。上記の長さＬ２は、大きすぎると、肩掛け時にバッグ本体１０の姿勢が不安定になり易いことから、背面部１１の上端から下端までの長さＬの１／２〜１／５の範囲にあることが好ましく、１／３〜１／５の範囲がより好ましく、１／４であることが更に好ましい。なお、図５においては、Ｌ２を一方の取付部２１からの長さとして示しているが、他方の取付部２２についても同様である。
【００２２】
バッグ本体１０は、特に背面部１１が補強板４０により補強されているため、把持部３３を引き上げる際に、係合部３２と係止部１７との係合解除を確実に行うことができる。補強板４０は、少なくとも背面部１１に設けられることが好ましいが、背面部１１以外も補強することで、蓋部３０を開閉する際の作業性がより向上する。一方、バッグ本体１０にある程度の剛性があれば、補強板４０を備えない構成であってもよい。
【００２３】
係合部３２と係止部１７との係合を解除した後は、図６（ａ）に示すように、スライダーを操作して一方のスライドファスナー３４を開くことにより、バッグ本体１０の上部が開いた状態になり、物の出し入れが可能になる。図６（ｂ）に示すように、他方のスライドファスナー３５も開くことにより、バッグ本体１０の上部を大きく開くことができる。スライドファスナー３４，３５の開閉は、図６（ｃ）に示すように、使用者Ｕが座った状態で行うこともできる。
【００２４】
係合部３２および係止部１７は、ショルダーバッグ１を肩に掛けた状態での操作を容易にするため、本実施形態のようにリング状の把持部３３を使用者Ｕの指に掛けて引き上げることにより、係合を解除できる構成が望ましいが、必ずしもこのような構成に限定されるものではなく、他の構成のバックルであってもよい。例えば、図７（ａ）および（ｂ）に示すように、係止部１７に形成された開口部１７ａを介して係合部３２を矢示のように押圧することにより、係合を解除する構成などを挙げることができる。このように、係合部３２および係止部１７をバックルにより構成することで、蓋部３０を確実に閉じることができ、ショルダーバッグ１に落下等による衝撃が作用しても、収容部が外部に飛び出すのを防止することができる。但し、係合部３２および係止部１７の構成は、必ずしもバックルに限定されるものではなく、例えば、マグネットや面ファスナーを利用してもよい。
【００２５】
また、図８に示すように、リング状の把持部３３を下方に引いて、係合部３２と係止部１７との係合を解除する構成であってもよい。図８に示すショルダーバッグ１は、蓋部３０の先端側に設けられた係合部３２が、ゴムバンドのように伸縮性を有する帯状部材からなる一方、係止部１７は、先端が下方を向くように配置されたフック状の部材からなる。この構成によれば、係合部３２に取り付けられたリング状の把持部３３を下方に引くことにより、図９に示すように、係合部３２と係止部１７との係合を解除することができる。
【００２６】
バック本体１０の形状についても、本実施形態のものに限定されない。例えば、図１０（ａ）に示すように、左右の側面部１２，１３に折込部１２ａ，１３ａを有する構成にして、一対のスライドファスナー３４，３５を設けることなく正面部１６の上端に蓋部３０を連接することで、図１０（ｂ）に示すように蓋部３０を開いた際に、折込部１２ａ，１３ａを広げてバッグ本体１０の上部を大きく開口することができる。
【００２７】
バッグ本体１０に対する補強板４０の装着は、本実施形態においてはバッグ本体１０の内面側から行っているが、バッグ本体１０の外面側から装着するように構成してもよい。例えば、図１１に示すように、外面側に形成された開口部１３ａ，１４ａを介して側面部１３および底部１４に補強板４０を装着することができる。バッグ本体１０に対して補強板４０を着脱可能に装着することで、ショルダーバッグ１の保管時や運搬時には、補強板４０を取り外してコンパクトに折り畳むことができる。
【００２８】
図１２に示すように、背面部１１に設ける補強板４０は、複数の分割板４０ａ，４０ｂを、間隔をあけて上下に配置した構成であってもよい。この構成によれば、補強板４０としての機能を確保しつつ、各分割板４０ａ，４０ｂの間で背面部１１を折り畳むことにより、コンパクトな状態で保管や運搬を行うことができる。分割板４０ａ，４０ｂの個数は特に限定されないが、２または３個であることが好ましい。
【符号の説明】
【００２９】
１  ショルダーバッグ
１０  バッグ本体
１１  背面部
１７  係止部
２０  肩ベルト
２１，２２  取付部
３０  蓋部
３２  係合部
３３  把持部
３４，３５  スライドファスナー
４０  補強板
【図１】
2019122752.tif 000003
【図２】
2019122752.tif 000004
【図３】
2019122752.tif 000005
【図４】
2019122752.tif 000006
【図５】
2019122752.tif 000007
【図６】
2019122752.tif 000008
【図７】
2019122752.tif 000009
【図８】
2019122752.tif 000010
【図９】
2019122752.tif 000011
【図１０】
2019122752.tif 000012
【図１１】
2019122752.tif 000013
【図１２】
2019122752.tif 000014